(57)【要約】【課題】省エネに優れ、使い勝手の良い冷蔵庫を提供する。【解決手段】外箱と内箱１０との間に断熱材が充填されて内部を断熱空間とし、断熱空間として最上段に冷蔵室２０が配設された冷蔵庫において、冷蔵室２０の背面で左右両側に設けられ上下に延伸する冷気通路３０Ｌ、３０Ｒと、冷蔵室２０内を複数の収納空間に区画する棚部材２１と、冷蔵室２０の背面に位置し冷蔵室２０内を照らす庫内灯２２と、庫内灯２２を覆うとともに左右両側に設けられる冷気通路３０の間に位置して複数の収納空間に跨って取り付けられる透光性のカバー部材２４と、カバー部材２４に取り付けられるとともに複数の収納空間に跨って上下に延伸する金属製部材２５とを備え、カバー部材２４の背面側には空間３１が形成され、庫内灯２２はこの空間３１内に取り付けられるとともに空間３１の奥側の壁面には白色材又は淡色材が用いられるものとした。【選択図】図２
2008057900.tif 000002
【特許請求の範囲】
【請求項１】
外箱と内箱との間に断熱材が充填されて内部を断熱空間とし、断熱空間として最上段に冷蔵室が配設された冷蔵庫において、
前記冷蔵室の背面で左右両側に設けられ上下に延伸する冷気通路と、前記冷蔵室内を複数の収納空間に区画する棚部材と、前記冷蔵室の背面に位置し冷蔵室内を照らす庫内灯と、前記庫内灯を覆うとともに左右両側に設けられる前記冷気通路の間に位置して前記複数の収納空間に跨って取り付けられる透光性のカバー部材と、前記カバー部材に取り付けられるとともに前記複数の収納空間に跨って上下に延伸する金属製部材とを備え、
前記カバー部材の背面側には空間が形成され、前記庫内灯はこの空間内に取り付けられるとともに前記空間の奥側の壁面には白色材又は淡色材が用いられることを特徴とする冷蔵庫。
【請求項２】
前記カバー部材には、前面が前記金属製部材で覆われない帯状の部分が設けられて、これを帯状部とし、この帯状部が前記棚部材によって区画される複数の収納空間に跨って延伸することを特徴とする請求項１に記載の冷蔵庫。
【請求項３】
前記カバー部材は、前記カバー部材の左右であって帯状で上下に延伸する帯状部を有し、前記金属製部材は左右の帯状部に挟まれた部分に取り付けられており、前記帯状部は前記棚部材によって区画される複数の収納空間に跨って上下に延伸することを特徴とする請求項１に記載の冷蔵庫。
【請求項４】
前記カバー部材は、前記庫内灯の前面に位置する凸形状部を有し、この凸形状部は前記棚部材の後端よりも手前側まで至る凸寸法とした請求項１記載の冷蔵庫。
【請求項５】
前記カバー部材には左右に延伸する溝が設けられ、該溝は上下に多数並べられていることを特徴とする請求項１乃至３のいずれかに記載の冷蔵庫。
【請求項６】
前記帯状部は、前記カバー部材が奥側に傾斜して設けられ、前記帯状部の前記冷蔵室側の空間を前記冷気通路からの冷気が吐出される冷気吐出空間としたことを特徴とする請求項１乃至４のいずれかに記載の冷蔵庫。
【発明の詳細な説明】
【技術分野】
【０００１】
本発明は冷蔵庫に関する。
【背景技術】
【０００２】
最上段に冷蔵室を配置した冷蔵庫が広く普及している。このタイプの冷蔵庫は、３ドア以上の中〜大容量クラスの冷蔵庫に多く、例えば、特許文献１では野菜室、冷凍室とともに最上段に冷蔵室が設置された冷蔵庫が開示されている。この特許文献１の冷蔵庫は、冷蔵室の背面部分の冷気通路を覆う熱伝導部材を備え、熱伝導性部材が冷気通路の一部をなすようにして冷蔵室内の保湿、均温化を図っている。また、熱伝導部材としてはアルミニウム合金やステンレスなどが用いられるものとしている。
【０００３】
【特許文献１】特開２００１−２２１５５４号公報
【発明の開示】
【発明が解決しようとする課題】
【０００４】
冷蔵室はその前面が回転式の断熱扉によって覆われており、扉が開かれると庫内灯が点灯して冷蔵室内が照らされるようになっている。庫内灯は、冷蔵室の背面側か、あるいは天井部に配設される。特許文献１では、冷蔵室の背面部分が熱伝導性部材で覆われていることから、庫内灯は天井部に配設されている。
【０００５】
庫内灯を天井部に配設した場合、冷蔵室内に複数の棚が上下に設けられている冷蔵庫においては、上方の棚に食品が多く載せられると、庫内灯の光が冷蔵室の下部まで届きにくくなってしまう。特許文献１では天井部の庫内灯が前後に複数備えられているため（図１参照）、冷蔵室内を広く照らすことが可能となっている。
【０００６】
しかし、庫内灯の数が多くなると製造工程の増加やコストアップを招くというだけではなく、庫内灯自体が発熱体でもあることから、その分だけ消費電力を多く費やしてしまうことになる。
【０００７】
一方、特許文献１では熱伝導性部材が冷気通路の一部を構成して、冷気通路と冷蔵室との間に熱伝導性部材を介在させ、冷気通路を通る冷気による冷熱の一部が熱伝導性部材を介して冷蔵室内に放出している。この場合、冷気通路内の冷気と冷蔵室との温度差が大きいことから、熱伝導性部材の冷蔵室側の面には結露が生じてしまう。そこで特許文献１の冷蔵庫は、指向性の吐出部を備え、指向性吐出部の全域から冷気を同時に吐出させている。したがって、冷気通路を出た後の冷気は、冷蔵室内において熱伝導性部材の冷蔵室側の表面に沿って流れ、結露の抑制が図られる。
【０００８】
一般に、冷蔵室の背面側に備えられる冷気通路には冷気の吐出口が備えられ、この冷気の吐出口を介して冷蔵室との間を連通している。この冷気の吐出口は、冷気通路の上下にわたって点在しているのが通常であり、冷気の吐出口を上下に点在させることによって冷蔵室内の温度の均一化が図られている。
【０００９】
したがって、特許文献１のように指向性吐出部の全域から冷気を同時に吐出させたとしても、熱伝導性部材における冷気の吐出口が無い部分は、結露を解消し切れないという懸念が生ずる。
【００１０】
加えて、冷気通路内の冷気は、通路内において下方から上方へと導かれている。したがって、指向性吐出部から吐出される冷気量をあまりに多くし過ぎてしまうと、熱伝導性部材の結露抑制作用は向上するが、冷気の流れ方向を大きく変えてしまう。このとき、冷気流れの損失が大きくなるため、冷気循環量が少なくなってしまう。一定の冷気循環量を確保するためには、送風機の設置数を増加する、あるいは大型化の送風機を用いる、ことになり、消費電力の増加を招きやすくなってしまう。
【００１１】
これらの課題は、冷蔵室、冷凍室、野菜室の配置に起因する冷気循環構造の相違によって顕在化するものも少なくなく、これを解決する具体的構成について、特許文献１には開示されていない。
【００１２】
本発明は上記課題に鑑みてなされたものであり、最上段に設けられた冷蔵室の内部を広く見渡しやすくし、または、冷蔵室内の食品保存環境の最適化を図ることを課題としている。
【００１３】
そして、これらのいずれかの課題を解決することによって、省エネに優れて使い勝手の良い冷蔵庫を提供することを目的としている。
【課題を解決するための手段】
【００１４】
上記目的を達成するために、外箱と内箱との間に断熱材が充填されて内部を断熱空間とし、断熱空間として最上段に冷蔵室が配設された冷蔵庫において、本発明は、
前記冷蔵室の背面で左右両側に設けられ上下に延伸する冷気通路と、前記冷蔵室内を複数の収納空間に区画する棚部材と、前記冷蔵室の背面に位置し冷蔵室内を照らす庫内灯と、前記庫内灯を覆うとともに左右両側に設けられる前記冷気通路の間に位置して前記複数の収納空間に跨って取り付けられる透光性のカバー部材と、前記カバー部材に取り付けられるとともに前記複数の収納空間に跨って上下に延伸する金属製部材とを備え、
前記カバー部材の背面側には空間が形成され、前記庫内灯はこの空間内に取り付けられるとともに前記空間の奥側の壁面には白色材又は淡色材が用いられるものとした。
【００１５】
上記の本発明において、より好ましい具体的形態は下記の通りである。
（１）前記カバー部材には、前面が前記金属製部材で覆われない帯状の部分が設けられて、これを帯状部とし、この帯状部が前記棚部材によって区画される複数の収納空間に跨って延伸すること。
（２）前記カバー部材は、前記カバー部材の左右であって帯状で上下に延伸する帯状部を有し、前記金属製部材は左右の帯状部に挟まれた部分に取り付けられており、前記帯状部は前記棚部材によって区画される複数の収納空間に跨って上下に延伸すること。
（３）前記カバー部材は、前記庫内灯の前面に位置する凸形状部を有し、この凸形状部は前記棚部材の後端よりも手前側まで至る凸寸法としたこと。
（４）前記カバー部材には左右に延伸する溝が設けられ、該溝は上下に多数並べられていること。
（５）前記帯状部は、前記カバー部材が奥側に傾斜して設けられ、前記帯状部の前記冷蔵室側の空間を前記冷気通路からの冷気が吐出される冷気吐出空間としたこと。
【発明の効果】
【００１６】
本発明によれば、省エネに優れて使い勝手の良い冷蔵庫を提供することができる。
【発明を実施するための最良の形態】
【００１７】
以下、本発明の実施形態を図面を用いて説明する。図１は、本実施形態の冷蔵庫の外観斜視図である。冷蔵庫１は最上段に冷蔵室が配設され、その前面開口部は回転式の冷蔵室扉２によって閉塞されている。冷蔵室扉２は、図１ではいわゆる観音開きタイプの左右ドアとしているが、一つの扉体で覆われる構成としても差し支えない。
【００１８】
冷蔵室の下部には引出し式の扉３、４によって閉塞された製氷室と温度切替室が左右に併設されている。製氷室内には図示しない自動製氷装置が設置され、製氷皿下部に配置された貯氷容器に氷が貯められる。そして、製氷室扉３を引き出すことによって貯氷容器がともに引き出され、氷を取り出すことができる。製氷室の隣に設置される貯蔵室は、必ずしも温度切替室である必要はなく、冷凍室としてもよい。
【００１９】
さらに下部には、冷凍室が配設され、その前面開口部は引出し式の冷凍室扉５によって覆われている。冷凍室内には図示しない冷凍室容器が設置されて、冷凍室扉５を引き出すことによって冷凍室容器を引き出すことができる。したがって、冷蔵庫の使用者は内部の食品を容易に取り出すことができる。
【００２０】
そして、最下段には、野菜室が配設されている。野菜室は冷蔵室と同様に冷蔵温度帯の貯蔵室であり、前面開口部は引出し式の野菜室扉６によって覆われている。野菜室内部には図示しない野菜室容器が設置されており、野菜室扉６とともに引き出される。
【００２１】
図２は、本実施形態の冷蔵室の内部構成を示す図であり、図２（ａ）は冷蔵室扉２を省略して示した正面図、図２（ｂ）は図２（ａ）のＡ−Ａ断面図、図２（ｃ）は図２（ａ）のＢ−Ｂ断面図である。
【００２２】
冷蔵室２０は、冷蔵室２０の内壁を構成する内箱１０（図２（ｃ）に符号１０で示す。）と、冷蔵庫１の外殻となる外箱１１（図２（ａ）に符号１１で示す。）との間に断熱材が充填された断熱空間となっている。
【００２３】
冷蔵室２０の内部には、食品載置用の棚部材２１が上下に複数設置されている。本実施形態では、板状の棚部材２１ａ、２１ｂが上下に設けられ、その下部には、ひっくり返して使用が可能な棚部材２１ｃが設けられている。この棚部材２１ｃは左右に複数配置されて（符号２１ｃ１、２１ｃ２）、食品収納空間の効率的な利用を可能としている。さらに下部に設置された棚部材２１ｄの下側の空間には、図示しない自動製氷装置内の製氷皿へ供給される水が貯められる給水タンク２６と、小物の食品を整理収納可能な引出しトレイ２７と、いわゆる氷温室となる引出しトレイ２８が設置されている。このように、冷蔵室２０の内部は、棚部材２１や引出しトレイ２７、２８等によって区画されることによって、食品収納性の向上が図られている。
【００２４】
冷蔵室２０の奥側の内箱１０面には、庫内灯２２が設置されている。本実施形態においては、庫内灯２２は、ソケット部から下方に発光部が垂下するように取り付けられる。ソケット部からの配線は、図示しない制御装置と接続され、冷蔵室扉２が開かれると庫内灯２２が点灯するように制御される。
【００２５】
冷蔵室２０の背面には、少なくとも庫内灯２２の前面を除く部分を覆うパネル状の背面部材２３が取り付けられている。この背面部材２３と内箱１０面との間には冷気通路３０が形成される。本実施形態の冷気通路は、冷蔵室２０の左右両側に左側冷気通路３０Ｌと右側冷気通路３０Ｒとに分岐する構造となっている。
【００２６】
背面部材２３には白色のものを用いるとよく、着色された部材を使用する場合であっても、淡色のものが好ましい。なお、内箱１０についても同様である。この理由については後述する。
【００２７】
これらの冷気通路３０Ｌ、３０Ｒは、奥側の通路壁面を内箱１０の内壁面とし、手前側の通路壁面を背面部材２３の裏側の後壁面としており、背面部材２３が冷蔵室２０の背面に取り付けられることによって冷気通路３０が形成される。冷気通路３０内には、図示しない冷却器によって生成された冷気が送風機によって冷蔵室２０背面位置まで延伸した冷気通路３０にまで送られ、冷気吐出口３０ａ、３０ｂを介して冷蔵室２０へと吐出される。冷蔵室２０に送られた冷気は、冷蔵室２０内の食品を冷却した後、再び冷却器に戻される。
【００２８】
なお、冷却器は、圧縮機、凝縮器、キャピラリチューブとともに冷凍サイクルを構成しており、冷却器内部で冷媒が蒸発することで周囲の熱を奪うことで冷気を生成する。したがって、冷蔵室２０内、あるいは冷凍室内の温度を検出して圧縮機の運転のＯＮ／ＯＦＦの制御、あるいは圧縮機の回転数を制御することによって、各貯蔵室を設定温度に維持することができる。
【００２９】
冷蔵室２０の背面における両冷気通路３０Ｌ、３０Ｒの中央側には、庫内灯２２が取り付けられている。この庫内灯２２は透光性のカバー部材２４によって覆われている。したがって、食品が庫内灯２２と衝突することはない。また、カバー部材２４は透光性部材であるため、庫内灯２２の光は冷蔵室２０内を照らすことができる。カバー部材２４の材質は、特に限定されるものではないが、透明の樹脂材が好ましい。
【００３０】
庫内灯２２の取付高さは、最上段に取り付けられる棚部材２１ａよりも上方であり、背面側から広く冷蔵室２０内を照らしている。カバー部材２４は、庫内灯２２を覆うとともに、棚部材２１ａを超えて下方まで延伸し、棚部材２１ａ、２１ｂによって区画される食品収納空間に跨って配設される。
【００３１】
カバー部材２４は一様形状ではなく、庫内灯２２の取付部分の前面には冷蔵室２０の収納空間側に凸となる凸形状部２４Ｍが設けられる。庫内灯２２は、冷蔵室２０背面で左右方向の中央部に取り付けられるため、凸形状部２４Ｍもカバー部材２４の左右方向の中央部に設けられている。
【００３２】
本実施形態では、カバー部材２４が金属製部材２５でさらに覆われている。ただし、カバー部材２４の全面を覆うのではなく、一部を除いて覆うものとしている。具体的には、少なくとも凸形状部２４Ｍとカバー部材２４の左右両側の帯状の端部は冷蔵室２０側に露出している。したがって、金属製部材２５の左右の両外側には、棚部材２１を跨いで上下に延伸する帯状部２４Ｌ、２４Ｒが形成される。金属製部材２５は、加工性や入手性からみて、アルミニウム材が好適である。
【００３３】
図２（ｃ）に示すように、この帯状部２４Ｌ、２４Ｒは、左右の冷気通路３０Ｌ、３０Ｒに近接している。カバー部材２４は前述のように凸形状部２４Ｍを備えているが、それ以外の部分も完全な平面形状ではなく、帯状部２４Ｌ、２４Ｒの部分は背面側に傾斜している。したがって、カバー部材２４を取り付けると、該カバー部材２４の裏側には空間３１が形成される。すなわち、該空間３１は、手前側の壁面がカバー部材２４の裏面となる。空間３１の奥側の壁面は、背面部材２３が取り付けられている部分は背面部材２３の冷蔵室２０側の面であり、背面部材２３が取り付けられていない部分では内箱１０面となる。
【００３４】
左右の冷気通路３０Ｌ、３０Ｒの奥行寸法は、金属製部材２５が取り付けられる高さ範囲内において、帯状部２４Ｌ、２４Ｒを含めたカバー部材２４の奥行寸法（ただし、凸形状部２４Ｍを除く。）よりも大きくしてある。また、凸形状部２４Ｍを除いた部分のうち、金属製部材２５が取り付けられる高さ範囲において、カバー部材２４の前壁と、冷気通路３０を覆う背面部材２３の表側の壁面との奥行方向の位置を合わせている。
【００３５】
本実施形態では、冷気通路３０からカバー部材２４側へ向けて冷気吐出口３０ａが設けられる（図２（ｃ）参照）。したがって、冷気通路３０（３０Ｌ、３０Ｒ）から冷蔵室２０へ吐出された冷気は、カバー部材２４の帯状部２４（２４Ｌ，２４Ｒ）へ向けて吹き出され、その後、帯状部２４Ｌ、２４Ｒの形状によって、冷蔵室２０の前方へ向けて導かれる。
【００３６】
カバー部材２４は（透光性の）樹脂材が用いられ、アルミニウム材等の金属製部材２５よりも熱伝導性に劣る材料としていることから、吐出された冷気が直接当たる部分であっても結露は生じにくい。この結果として、金属製部材２５には冷気が直接吹き付けられないため、金属製部材２５の結露を抑制することができる。
【００３７】
さらに、冷気通路３０Ｌ、３０Ｒの冷気吐出口は、帯状部２４Ｌ、２４Ｒと対向する冷気吐出口３０ａだけではない。すなわち、金属製部材２５が取り付けられる高さ範囲を超えて、冷気通路３０Ｌ、３０Ｒの上方から冷蔵室２０内へと吐出する上部冷気吐出口３０ｂを備えている。
【００３８】
冷気吐出口３０ａは、冷気通路３０Ｌ、３０Ｒのそれぞれにおいて、棚部材２１で区画される収納空間に応じて複数個設けられている。本実施形態では、上部冷気吐出口３０ｂから吐出される冷気の吐出量を、各冷気通路３０Ｌ、３０Ｒに複数設けられた冷気吐出口３０ａから吐出される冷気の全吐出量よりも多くなるように設定し、金属製部材２５の結露を抑制するとともに、冷気の循環経路の流れ損失を低減している。したがって、送風機の高出力化あるいは送風機の設置数の増加を招くことなく、省エネに優れた冷蔵庫とすることができる。この冷気循環の構造については後に詳細に説明する。
【００３９】
また、金属製部材２５が、複数の棚部材２１によって区画される各収納空間に跨って上下に延在していることから、各収納空間の温度偏差を低減して冷蔵室２０内の均温化を図ることができる。特に収納食品が多くなり、冷気吐出口から吹き出された冷気が届きにくくなった部分が生じたとしても、左右の冷気吐出口３０ａは、傾斜した帯状部２４Ｌ、２４Ｒと冷気通路３０の側壁との間の空間に設けられていることから、冷気吐出口３０ａ自体が閉塞されることは殆どなく、金属製部材２５を介した冷熱の伝導が期待できる。
【００４０】
また、上述したように、帯状部２４Ｌ、２４Ｒは棚部材２１を跨いで上下に延伸しているため、帯状部２４Ｌ、２４Ｒの前側に食品が収納されても、冷気通路３０の側壁とによって囲まれた断面略三角形状のダクト状の空間が上下に連通している。この空間は、冷気吐出空間となる。したがって、冷気吐出口３０ａから吐出された冷気は必ず冷蔵室２０内の空間へと導かれる。加えて、このダクト状の空間の近傍には金属製部材２５が位置しているため、冷熱の伝達を効率よく行うことができる。
【００４１】
図３はカバー部材２４と金属製部材２５の冷蔵室２０への取付構造を示す図である。図に示すように、背面部材２３が冷蔵室２０の背面に取り付けられた後、カバー部材２４に金属製部材２５を取り付けた状態で、冷蔵室２０の背面に取り付けられる（図中の矢印参照）。このとき、庫内灯２２の前面側には凸形状部２４Ｍが位置し、背面部材２３によって冷蔵室２０の左右両側に位置する冷気通路３０の間にカバー部材２４が位置するように取り付けられる。
【００４２】
上述したように、カバー部材２４の両側は奥方に傾斜しており、金属製部材２５の両脇に上下に延伸する帯状部２４Ｌ、２４Ｒが形成される。したがって、カバー部材２４が取り付けられると、背面部材２３の前方面あるいは内箱１０面との間に空間３１が形成されることになる（図２参照）。
【００４３】
図２（ｂ）に示すように、冷蔵室２０の背面部のうち、両側の冷気通路３０Ｌ、３０Ｒに挟まれた部分には、空間３１が設けられている。この空間３１は、冷蔵室２０の収納空間とカバー部材２４によって区画されている。空間３１の上部、具体的には、冷蔵室２０内に取り付けられる最上段の棚部材２１ａよりも高い位置には、庫内灯２２が発光部を下方に向けて設置される。庫内灯２２の前方には凸形状部２４Ｍが位置しており、この部分においては空間３１の奥行寸法が大きく確保されている。
【００４４】
カバー部材２４の凸形状部２４Ｍ及び左右の帯状部２４Ｌ、２４Ｒを少なくとも除く部分には、金属製部材２５が取り付けられているが、庫内灯２２の前方に位置する凸形状部２４Ｍは金属製部材２５で覆われていないことから、庫内灯２２の光は透光性のカバー部材２４を透過して冷蔵室２０内を照射する。したがって、使用者は冷蔵室２０内を見渡しやすくなっている。凸形状部２４Ｍは、棚部材２１の後端よりも前方まで至る凸寸法となっており、冷蔵室２０内を広く照射可能としている。
【００４５】
図４に示すように、カバー部材２４の空間３１側の面は、左右に延伸する溝が形成されている。そして、該溝は上下に多数並べられている。したがって、庫内灯２２でカバー部材２４が照らされると溝部分には左右に線状の光筋が発現し、この光筋自体が一種の光源となって、庫内を照射する。なお、本実施形態では、溝が左右に延伸する構造としているが、これに限られず、上下に延伸する溝としても差し支えない。図４に示すように、カバー部材２４の裏面を、複数の平面あるいは複数の曲面から構成し、各面の境界に角部を設ける構成とすればよい。
【００４６】
一方、金属製部材２５は遮光性部材であるため、金属製部材２５で覆われた部分からは光が照射されないが、凸形状部２４が金属製部材２５よりも前方まで突出していることから、カバー部材２４上に発現する光源によって金属製部材２５を照らされ、冷蔵室２０内の光度を確保している。
【００４７】
庫内灯２２が発光すると、冷蔵室２０内だけではなく、放射状に空間３１内にも光が照射される。空間３１は、カバー部材２４の裏側面と内箱１０面あるいは背面部材２３面とに囲まれた空間である。上述のように、内箱１０面及び背面部材２３は、白色あるいは淡色の樹脂材が用いられているため、空間３１内における光の吸収が抑えられ、空間３１内で反射して光源たる庫内灯２２から離れた位置にまで光を伝達することができる。
【００４８】
カバー部材２４のうち、金属製部材２５で覆われた部分からは冷蔵室２０側に光が照射されないのであるが、本実施形態では金属製部材２５にアルミニウム材を用いており、カバー部材２４を透過した光が金属製部材２５の裏面で反射し、空間３１内に光が伝達される。
【００４９】
カバー部材２４には、上下に延伸する帯状部２４Ｌ、２４Ｒが設けられている。この帯状部２４Ｌ、２４Ｒは、後方側に傾斜して形成されているため、空間３１内の光を冷蔵室２０内へと導きやすくなっている。したがって、庫内灯２２が点灯すると、左右の冷気通路３０Ｌ、３０Ｒよりも内側の位置に、上下に延伸する光の帯が出現する。本実施形態では、光が伝達しやすいように、白色材や淡色材、あるいは金属製部材（透光性部材を介して）で覆われて空間３１を形成しているため、たとえ庫内灯２２の死角に当たる位置にまで光を伝えることができ、棚部材２１によって区画される複数の収納空間に跨って光の帯を出現させることができる。
【００５０】
すなわち、この光の帯は、最上段の棚部材２１ａよりもさらに上方に位置している庫内灯２２から、下方の棚部材２１ｂ、２１ｃあるいは２１ｄによって区画される収納空間の近傍まで光の帯によって冷蔵室２０内が照らされる。
【００５１】
カバー部材２４の空間３１側の面に左右に延伸して設けられる溝は、帯状部２４Ｌ、２４Ｒにも設けられている。したがって、帯状部２４Ｌ、２４Ｒは、単に庫内灯２２からの光が透過するだけではなく、溝によって光筋が現れ、この光筋自体が光源的な役割を果たすことで冷蔵室２０内を広く照射することができる。
【００５２】
特に、本実施形態では、庫内灯２２はソケット部から発光部が真下に垂下した構造とし、空間３１内において発光部から下側には光を遮る物を可能な限り排除している。
【００５３】
したがって、背面に金属製部材２５を備えた構成とした場合であっても、複数の庫内灯を設置する必要はなく、単数の庫内灯によって、冷蔵室内を明るく照らすことができる。
【００５４】
なお、この光の帯は、空間３１やこれを構成する各部材によって出現するものであり、冷蔵室２０内に食品が多数収納されても、これに遮られることはなく、冷蔵室２０内を常に明るく維持することができる。
【００５５】
また、本実施形態のように、凸形状部２４Ｍを設けることで、庫内灯２２の設置空間を大きく確保できるため、複数の庫内灯を取り付けることが可能である。上記の構成とあわせて行うことで、冷蔵室２０内をさらに明るく照らすことができる。
【００５６】
次に、図５を用いて冷蔵室２０の冷却に関して説明する。図５は冷蔵室２０の冷気循環構造を示す図である。図２にて示したように、冷却器によって生成された冷気は、冷気通路３０Ｌ、３０Ｒを通って冷蔵室２０へと吐出される。すなわち、棚部材２１によって区画されたそれぞれの空間に対して冷気を吐出する冷気吐出口３０ａ、及び、冷気通路３０Ｌ、３０Ｒの冷気進行方向である上方に開口する上部冷気吐出口３０ｂを備え、これらの吐出口から冷気が供給されることによって、冷蔵室２０が冷却される。
【００５７】
冷気吐出口３０ａと上部冷気吐出口３０ｂの冷気吐出量は、既述のとおり、上部冷気吐出口３０ｂからの冷気供給量を大とするように開口面積を定めている。本実施形態の冷蔵庫では、６つの冷気吐出口３０ａと２つの上部冷気吐出口３０ｂを備えている。したがって、一つの冷気吐出口３０ａから単位時間当たりに吐出される冷気の風量をｑとし、一つの上部冷気吐出口３０ｂから単位時間当たりに吐出される冷気の風量をＱとすると（図５（ｂ）参照）、「２Ｑ＞６ｑ」の関係を満たすように各吐出口の開口面積が定められる。
【００５８】
当該構成による作用効果は次の通りである。近年、冷蔵庫の収納容積の増大が図られ、それにともなって冷蔵室２０の収納容積も増大する傾向にある。大きな収納容積を有する貯蔵室を冷却する場合、冷却器によって生成される冷気の低温化、あるいは供給される冷気の量の増大化が求められている。したがって、冷凍サイクルの高効率化とともに、送風機の大型化が求められるに至っている。しかし、送風機の大型化は省エネ性低下の原因となるため、可能な限りコンパクトな送風機を用いることが望ましい。
【００５９】
一方、冷蔵室の大容量化を図るには、冷却構造を小型化して、収納空間とならない部分を小さくすることが求められている。しかし、冷蔵室背面の冷気供給部分である冷気通路も小型化すると通風抵抗が増大するという相反する課題が生ずることとなる。例えば、冷蔵室２０の大容量化を実現するためには、図５（ａ）に示す冷蔵室２０の背面部の幅寸法Ｗ1を大きくし、冷気通路３０Ｌ、３０Ｒの幅寸法Ｗ2を小さくすることが必要となる。すなわち、幅寸法比をＷとすると、冷蔵室２０の大容量化を図るということは、Ｗ（＝Ｗ1／２Ｗ2 ）の値が大きくなるということを示している（係数「２」は、冷蔵室２０の背面に２つの冷気通路を備えているため）。
【００６０】
ここで、冷気吐出口３０ａ及び上部冷気吐出口３０ｂの両者を同寸法の開口とし、Ｗ1寸法を５８０mmと固定して、Ｗ2 寸法が７０mmのときの冷蔵室２０内の冷却状況を測定した場合（寸法係数Ｗ＝４.１）と、Ｗ2寸法が３０mmのときの冷蔵室２０内の冷却状況を測定した場合（寸法係数Ｗ＝９.７ ）とを比較した。その結果、後者の場合は冷却能力に劣ることがわかった。また、この検討から、寸法係数Ｗが大きいほど、冷蔵室２０内の温度むらが大きくなることがわかった。
【００６１】
その原因について図６を用いて説明する。図６は、本実施形態の冷蔵庫１の冷却構造を示す断面図である。既に述べたとおり、本実施形態の冷蔵庫１は、上部に冷蔵室２０を備えており、前面開口部が冷蔵室扉２によって閉塞される構造としている。また、冷蔵室２０の下部には冷凍室４０が配設される、いわゆるミッドフリーザ構造の冷蔵庫となっている。したがって、冷蔵室２０と冷凍室４０との間は断熱仕切壁３３ａによって仕切られ、両室の断熱が図られている。また、最下段には野菜室が位置し、前面を野菜室扉６によって覆われている。野菜室と冷凍室４０との間も断熱仕切壁３３ｂによって仕切られることで、両室が断熱される。
【００６２】
冷蔵室２０と野菜室との間に位置する冷蔵室４０は、上段と下段の冷凍室からなり、それぞれが扉によって覆われている。冷蔵室４０の背面には冷却器室３６が位置しており、この冷却器室３６内には、冷気を生成する冷却器３４と、冷却器３４によって生成された冷気を各貯蔵室へと送る送風機３５が配設される。これらの冷却器３４及び送風機３５は、断熱仕切壁３３ａ、３３ｂの間に収められるように配設されている。すなわち、冷却器３４及び送風機３５が冷凍室４０の背面投影面内に収められており、送風機３５から冷蔵室２０へ送られる冷気は、図示しないダンパーを介して冷気通路３０へと送られる。
【００６３】
一方、冷蔵室２０を冷却した後の冷気は、冷蔵室２０の背面に設けた冷気吸込口３２から、図示しない冷気戻り通路を介して冷却器室３６へと戻り、この構成によって冷気循環構造が形成されている。本実施形態の冷蔵庫１は、冷蔵室２０の下部に冷凍室４０を配置し、両室が断熱仕切壁３３ａで断熱されているため、冷蔵室２０の背面から吐出された冷気は、冷蔵室２０内を冷却後、冷蔵室２０の背面に備えられた冷気吸込口３２へと至る構造となっている。
【００６４】
冷気吸込口３２は、冷蔵室２０内を冷却した後の冷気を冷却器室３６へ戻すために、冷気吐出口３０ａ及び上部冷気吐出口３０ｂのいずれの吐出口よりも下方に位置している。しかし、冷気吸込口３２が、冷気吐出口３０ａ、３０ｂと同じく冷蔵室２０の背面に位置しているため、図６の点線矢印で示したように、吐出冷気が冷蔵室２０の前方まで至ることなく、ショートサーキットしてしまう懸念があった。特に、冷蔵室２０の大容量化にともなってショートサーキット現象が顕著となってしまう場合があった。
【００６５】
さらには、冷気通路３０Ｌ、３０Ｒの寸法が、冷蔵室２０の寸法に対して小さくなると、風量の確保が困難となるという課題があった。このとき、冷蔵室２０内で冷気が供給される部分と冷気が届かない部分が生じ、冷蔵室２０内に温度むらが生じてしまう。
【００６６】
この温度むらを低減して冷蔵室２０内の均温化を図るため、本実施形態では、いわゆるミッドフリーザ構造の冷蔵庫であって、次のような構造を採用することとした。
【００６７】
まず第一に、図６の実線矢印で示すような冷気の流れを実現し、冷蔵室２０の全体を冷却可能とするために、既に述べたとおり、上部冷気吐出口３０ｂから吐出される冷気の吐出量を、各冷気通路３０Ｌ、３０Ｒに複数設けられた冷気吐出口３０ａから吐出される冷気の全吐出量よりも多くなるように設定した。この構成は、冷気通路３０Ｌ、３０Ｒ内を進行する冷気の方向と、上部冷気吐出口３０ｂから冷蔵室２０へと冷気が吐出される方向が近いため、循環経路における流れ損失を低減する効果を奏する。したがって、冷却効率の向上を図ることができる。
【００６８】
また、冷気吐出口３０ａと上部冷気吐出口３０ｂとの冷気吐出量の関係について検討した結果、寸法係数Ｗが６.０を超えるような場合であっても、一定の場合には温度むら抑制効果が発揮されることがわかった。
【００６９】
すなわち、冷気吐出口３０ａからの冷気量と上部冷気吐出口３０ｂからの冷気量との関係を評価し、冷気量と風速との関係から、上部冷気吐出量３０ｂから吐出される冷気の量が、冷気吐出口３０ａから吐出される冷気の量の１.５倍以上、すなわち、２Ｑ＞９ｑとすることで、冷蔵室２０内の温度むらを低減できることがわかった。
【００７０】
例えば、冷気吐出口３０ａを５０mm×５mmの開口とし、上部冷気吐出口３０ｂを３０mm×１０mmの開口とした場合において、冷凍室４０の背面に位置する冷却器室３６から送風機３５によって冷気を供給すると、均温化の効果が発揮された。
【００７１】
具体的には、所定回転数で送風機３５を回転した場合、冷気吐出口３０ａから吐出される冷気の風速が０.５ｍ／ｓ であったのに対し、上部冷気吐出口３０ｂから吐出される冷気の風速は２.０ｍ／ｓ であった。これは、冷気吐出口３０ａは冷蔵室２０の幅方向内側に冷気を吐出するのに対し、上部冷気吐出口３０ｂは冷気通路内の冷気進行方向と近い方向に冷気を吹き出すため、通風抵抗が小さくなるからである。したがって、２つの上部冷気吐出口３０ｂから吐出される冷気量の合計２Ｑが１２００mm2・ｍ／ｓ であり、６つの冷気吐出口３０ａから吐出される冷気量の合計６ｑは７５０mm2・ｍ／ｓ であった。
【００７２】
このとき、上部冷気吐出口３０ｂから吐出される冷気は十分な風速が得られるため、冷蔵室扉２に取り付けられたポケット収納容器にまで届き、冷蔵室を全体的に冷却することができる。すなわち、図６に示すような点線矢印ではなく、上部冷気吐出口３０ｂから吐出される冷気は実線矢印のように冷蔵室２０内に供給され、ポケット収納容器に収納された食品も十分に冷却可能であった。
【００７３】
なお、本実施形態の冷蔵庫では、冷蔵庫の各部を制御する制御基板３７を本体筐体の天面後方に配置しており、冷蔵室２０の天井面を開口手前側の方が高くなるように構成している。したがって、上部冷気吐出口３０ｂからの冷気が前方へと向かいやすく、冷蔵室２０全体の冷却に寄与している。
【００７４】
棚部材によって区画されたそれぞれの収納空間には、冷気吐出口３０ａから吐出された冷気が供給されることになるが、上述したように、冷気通路３０内を通る冷気の半分以上は上部冷気吐出口３０ｂから冷蔵室２０へと吐出され、この冷気の多くは冷蔵室２０の手前側に供給されるため、冷蔵室２０の背面側に供給される冷気量が少なくなってしまうことになる。
【００７５】
そこで、本実施形態では、左側の冷気通路３０Ｌと右側の冷気通路３０Ｒとの間の背面に金属製部材２５を備え、冷気吐出口３０ａは、冷蔵室の幅方向内側に向けて冷気を吐出する構造とした。加えて、冷気吐出口３０ａから吐出された冷気が冷蔵室２０の前方へ向けて導かれるようなカバー部材２４の形状を採用した。
【００７６】
金属製部材２５を備えることによって、その熱伝導率の高さから冷蔵室２０の背面側の冷却能力が担保され、また、棚部材で区画された各収納空間の均温化も可能となっている。すなわち、金属製部材２５を備えることで、左側の冷気通路３０Ｌと右側の冷気通路３０Ｒとの距離を離しても各収納空間の均温化が図られる。
【００７７】
具体的には、両冷気通路間の距離を３００mm以上とすることが可能となり、少なくとも４００mmまでは、冷蔵室として十分な冷却が可能であることを検証した。すなわち、冷蔵室２０の幅寸法が大きくなる場合には、両冷気通路間の距離が大きくなってしまう。このとき、冷気通路３０Ｌ、３０Ｒの幅寸法に関わらず、幅広な冷蔵室内の中央部分に冷気が行き渡らないという課題が生じ得る。そこで、両冷気通路間の距離について検討を行ったところ、上記の実施形態の冷気吐出口３０ａ＆３０ｂ、及び、金属製部材２５を用いた結果、冷気通路間の距離を３００mm以上としても冷蔵室の冷却が十分に行えることがわかった。
【００７８】
換言すれば、左側の冷気通路３０Ｌと右側の冷気通路３０Ｒとの間に３００mm以上の間隔を設けたとしても、両冷気通路の間に金属製部材２５を配設することによって、冷蔵室の均温化と冷却が図られるということである。金属製部材２５は、上下に関しては、棚部材２１によって区画される上下の収納空間に跨るように配設され、左右に関しては、３００mmあるいはそれ以上の幅を有するものを用いればよい。
【００７９】
なお、本実施形態の場合、冷気通路３０Ｌ、３０Ｒの幅方向内側にカバー部材２４の帯状部２４Ｌ、２４Ｒが位置しているため、両冷気通路間の距離よりも金属製部材２５の左右幅は小さくなる。
【００８０】
ここで、上述した寸法係数Ｗ＝４.１の構造において金属製部材２５を配設しない場合と、寸法係数９.７の構造において金属製部材２５を配設した場合とを比較した。図５（ｂ）に示す各収納空間２０ａ〜２０ｃにおける温度を同一条件で測定した結果を表１に示す。なお、Ｗ＝９.７のときの両冷気通路間の距離は３８０mmとした。
【００８１】
【表１】
2008057900.tif 000003
【００８２】
このように、冷蔵室２０の収納容積が大きくなり、Ｗ＝６.０を超えるような場合であっても、金属製部材２５を備えることによって、冷蔵室２０内の均温化が可能となった。そして、表１の検討によれば、Ｗ＝１０程度までは十分な冷却が可能であることがわかった。また、これらの構成によって、冷蔵室２０の平均温度も低くすることができ、省エネ性の向上が可能となった。
【００８３】
また、冷蔵室２０の均温化によれば、冷蔵室２０内に取り付けられる冷蔵室温度センサの検出値と、冷蔵室２０の実際の平均温度とのバラツキを抑制でき、省エネ性に優れた構成とできる。実際、図５（ｂ）に示すように、冷蔵室温度センサ３８を収納空間２０ｃの下に位置する収納空間に取り付けた場合に、わずかではあるが平均温度と検出値との差異を低減することができた。
【００８４】
以上説明したように、本実施形態の冷蔵庫によれば、省エネに優れて使い勝手の良い冷蔵庫を提供することができる。
【図面の簡単な説明】
【００８５】
【図１】本実施形態の冷蔵庫の外観斜視図である。
【図２】冷蔵室の内部構成を示す図である。
【図３】カバー部材と金属製部材の取付構造を示す図である。
【図４】カバー部材に金属製部材を取り付けた状態の斜視図である。
【図５】冷蔵室の冷気循環構造を示す図である。
【図６】本実施形態の冷蔵庫の冷却構造を示す断面図である。
【符号の説明】
【００８６】
１…冷蔵庫、１０…内箱、１１…外箱、２０…冷蔵室、２１…棚部材、２２…庫内灯、２３…背面部材、２４…カバー部材、２４Ｍ…凸形状部、２４Ｌ・２４Ｒ…帯状部、２５…金属製部材、３０Ｌ・３０Ｒ…冷気通路、３０ａ…冷気吐出口、３０ｂ…上部冷気吐出口、３１…空間、３２…冷気吸込口、３３…断熱仕切壁、３４…冷却器、３５…送風機、３６…冷却器室、３７…制御基板、３８…冷蔵室温度センサ、４０…冷凍室。
【図１】
2008057900.tif 000004
【図２】
2008057900.tif 000005
【図３】
2008057900.tif 000006
【図４】
2008057900.tif 000007
【図５】
2008057900.tif 000008
【図６】
2008057900.tif 000009